(57)【特許請求の範囲】
【請求項１】
（ａ）CYP1A1遺伝子、CYP1B1遺伝子、CYP3A7遺伝子、COX-1遺伝子及びCOX-2遺伝子が導入されているトランスジェニック非ヒト動物；
（ｂ）CYP1B1遺伝子、及びCOX-2遺伝子が導入されているトランスジェニック非ヒト動物；
（ｃ）CYP1B1遺伝子、及びCYP3A7遺伝子が導入されているトランスジェニック非ヒト動物；及び
（ｄ）CYP1B1遺伝子、COX-1遺伝子及びCOX-2遺伝子が導入されているトランスジェニック非ヒト動物：
から成る群から選択されるトランスジェニック非ヒト動物であって、該遺伝子が導入されていない動物に比べて催奇形性および胎児毒性が向上しているトランスジェニック非ヒト動物またはその子孫、またはそれらの動物から得られる細胞内小器官、細胞、組織、臓器、頭部、指、手、足、腹部及び尾。
【請求項２】
導入されている遺伝子が体内で発現している、請求項１に記載のトランスジェニック非ヒト動物またはその子孫、またはそれらの動物から得られる細胞内小器官、細胞、組織、臓器、頭部、指、手、足、腹部及び尾。
【請求項３】
導入されている遺伝子が胎児の体内で発現している、請求項１又は２に記載のトランスジェニック非ヒト動物またはその子孫、またはそれらの動物から得られる細胞内小器官、細胞、組織、臓器、頭部、指、手、足、腹部及び尾。
【請求項４】
CYP1A1遺伝子、CYP1B1遺伝子、又はCYP3A7遺伝子が、（1）CYP1A1、CYP1B1、CYP3A7をコードする遺伝子、（2）ヒトEF1αプロモーター、（3）ニワトリβグロビンインスレーター配列またはその一部、および（4）SV40ポリＡ付加シグナルを含有する組み換え遺伝子として導入されている、請求項１から３の何れかに記載のトランスジェニック非ヒト動物またはその子孫、またはそれらの動物から得られる細胞内小器官、細胞、組織、臓器、頭部、指、手、足、腹部及び尾。
【請求項５】
COX-1遺伝子又はCOX-2遺伝子が、（1）COX-1又はCOX-2をコードする遺伝子、（2）ヒトEF1αプロモーター、（3）ニワトリβグロビンインスレーター配列またはその一部、および（4）SV40ポリＡ付加シグナルを含有する組み換え遺伝子として導入されている、請求項１から４の何れかに記載のトランスジェニック非ヒト動物またはその子孫、またはそれらの動物から得られる細胞内小器官、細胞、組織、臓器、頭部、指、手、足、腹部及び尾。
【請求項６】
非ヒト動物が、マウス、ラット、ハムスター、モルモット、ウサギ、イヌ、ネコ、ウマ、ウシ、ヒツジ、ブタ、ヤギ、サル、ニワトリ、ウズラ、ショウジョウバエ及び線虫から成る群から選択される非ヒト動物である、請求項１から５の何れかに記載のトランスジェニック非ヒト動物またはその子孫、またはそれらの動物から得られる細胞内小器官、細胞、組織、臓器、頭部、指、手、足、腹部及び尾。
【請求項７】
非ヒト動物がマウスである、請求項１から６の何れかに記載のトランスジェニック非ヒト動物またはその子孫、またはそれらの動物から得られる細胞内小器官、細胞、組織、臓器、頭部、指、手、足、腹部及び尾。
【請求項８】
請求項１から７の何れかに記載のトランスジェニック非ヒト動物またはその子孫、またはそれらの動物から得られる細胞内小器官、細胞、組織、臓器、頭部、指、手、足、腹部及び尾を用いることを特徴とする胎児毒性・催奇形性を予測するスクリーニング方法。
【請求項９】
請求項１から７の何れかに記載のトランスジェニック非ヒト動物またはその子孫、またはそれらの動物から得られる細胞内小器官、細胞、組織、臓器、頭部、指、手、足、腹部及び尾に試験化合物を投与し、胎児毒性・催奇形性の発現を観察することを特徴とする請求項８に記載のスクリーニング方法。
【発明の詳細な説明】
技術分野
本発明は、ヒト型薬物代謝酵素遺伝子を含む組み換え遺伝子、ヒト型薬物代謝酵素を含む組み換え遺伝子が複数導入されているトランスジェニック非ヒト動物、並びにそれらの利用に関する。
背景技術
新薬の開発に当っては前臨床試験における毒性試験の一つとして必ず催奇形性を含めた生殖試験を行わなければならないことになっている。サリドマイド事件以前は薬剤の胎児に対する影響はほとんど検討されていなかったが、１９６１年サリドマイド事件がおこり、日本では１９６３年「医薬品の胎児に及ぼす影響に関する動物実験法」が制定され、１９７５年には「医薬品の生殖に及ぼす影響に関する動物実験方法」として改定され、アメリカのＦＤＡ方式に従ってＳｅｇｍｅｎｔ  １、Ｓｅｇｍｅｎｔ  ２、Ｓｅｇｍｅｎｔ  ３の三つに分かれて行われることになった。
このうち、Ｓｅｇｍｅｎｔ  ２は催奇形性試験と呼ばれ、非げっ歯類を含めた２種以上の動物の器官形成期に試験薬を投与し、児の奇形発生を検索する方法である。しかしながら、動物実験の結果には常に種差にもとづく限界があり、予測システムがうまく働かなかったときは、常に結果は悲惨なものとなり得る。予測方法の失敗の古典的な例は、サリドマイド事件であり、この場合、ラットを用いた初期の試験では胎仔の奇形は全く現れなかった（Ｓｏｍｅｒｓ，Ｇ．Ｆ．，ｅｔ．ａｌ．，Ｐｈａｒｍａｃｏｌｏｇｉｃａｌ  ｐｒｏｐｅｒｔｉｅｓ  ｏｆ  ｔｈａｌｉｄｏｍｉｄｅ，ａ  ｎｅｗ  ｓｅｄａｔｉｖｅ  ｈｙｐｎｏｔｉｃ  ｄｒｕｇ，Ｂｒ．Ｊ．Ｐｈａｒｍａｃｏｌ．，１５，１１１−１１６，１９６０）。
催奇形性試験のほとんどは、マウス、ウサギ、そして特にラットで行われているが、先に述べた理由から、げっ歯類やウサギよりアカゲザルのような高等霊長類の方が催奇形性の影響を予測するためには、より適切なモデルである。既知の催奇形性物質に対する直接的な比較は、Ｗｉｌｓｏｎ  ａｎｄ  Ｆｒａｎｄｋｉｎ，Ｃｏｍｐａｒｉｓｏｎ  ｏｆ  ｔｅｒａｔｏｇｅｎｉｃ  ｓｅｎｓｉｔｉｖｉｔｙ  ｏｆ  ｒｈｅｓｕｓ  ｍｏｎｋｅｙｓ，Ｔｅｒａｔｏｌｏｇｙ，２，２７２，１９６０およびＷｉｌｓｏｎ，Ｕｓｅ  ｏｆ  ｒｈｅｓｕｓ  ｍｏｎｋｅｙｓ  ｉｎ  ｔｅｒａｔｏｌｏｇｉｃａｌ  ｓｔｕｄｉｅｓ，Ｆｅｄ．Ｐｒｏｃ．３０，（１）１０４−１０９，１９７０によって報告されている。このような研究を進める上では、対応する発生時期に薬物を投与するように努力された。ラットにアセタゾラミド、アセチルサリチル酸、レチノイン酸、メトトレキセート、５−フルオロウラシル、ヒドロキシルウレア、ビンクリスチンを投与するとアカゲザルよりも低い投与量で催奇形性が認められた。これと対照的に、ラットはアカゲザルよりサリドマイドに対して感受性がかなり低かった。しかし、定量的な意味での両動物種間の感受性にはかなりの差が認められ、対象とする物質の種類によって異なり、メトトレキセートに関してはラットはサルよりも２０倍も高い感受性を示すが、残りの６種類の薬物では１０倍以下である。一方、サリドマイドに関しては、サルはラット類の１０倍以上高い感受性を示した。
Ｐ４５０は生物界に広く分布し、その多彩な機能が明らかにされている。５００種以上のＰ４５０の分子種について１次構造が明らかにされ、配列の相同性に基づいてファミリー、さらにサブファミリーに分類されているが、分類は生理的役割ともよく対応している。現在判明している６５ファミリーのうち、１４ファミリーは哺乳動物にあり、そのうちの４ファミリーが薬物代謝に関わり、８ファミリーがコレステロールやステロイドホルモン、胆汁酸の合成経路上にあり、２ファミリーはある種のプロスタグランディン合成酵素に対応している。
薬物代謝の約８割は、巨大な遺伝子スーパーファミリー（ｇｅｎｅ  ｓｕｐｅｒｆａｍｉｌｙ）を構成するＰ４５０酵素群の関与によるといわれている。Ｐ４５０は薬物や毒物などの生体外異物を代謝することから、薬毒物の薬効・毒性と関連して広範に研究が展開されてきた。薬物など体外異物の代謝にかかわるＰ４５０はＣＹＰ１−ＣＹＰ３のファミリーに属する分子種にほぼ限定されており、ＣＹＰ４の一部の分子種が体外異物の代謝に例外的に関与する。ＣＹＰ２のグループには多くのサブファミリーが含まれ、そのサブファミリーによって性質が多少異なり、しかも動物種によって必ずしも対応する分子種がない。ＣＹＰ２Ｅ１はアルコールなどで誘導されるのが特徴である。
薬物代謝に関与するＰ４５０分子種の特徴を以下に示す。まず、ＣＹＰ１ＡとＣＹＰ１Ｂは癌原性多環芳香族炭化水素や焼けこげに含まれるヘテロサイクリックアミンの代謝的活性化に関与し、多環芳香族炭化水素によって誘導されるのが特徴である。この酵素はアルコールの酸化のみでなく、ジメチルニトロソアミンなどの代謝的活性化に関与する。ＣＹＰ３Ａに属するＰ４５０はテストステロンの６β水酸化をはじめ多くの薬物を代謝する。ＣＹＰ３Ａに属するＰ４５０は、ヒト肝ミクロソーム中に最も大量に存在するだけでなく、ＣＹＰ３Ａによって代謝される薬物を併用すると薬物相互作用が発現することから、臨床的にも注目されている。ヒト胎児にはＣＹＰ３Ａ７が、成人にはＣＹＰ３Ａ４が特異的に存在する。また、ヒト胎児ＣＹＰ３Ａ７に対応する酵素はマウスおよびラット胎児では同定されていない。ヒトで検出され、マウスおよびラットで検出されなかったサリドマイド催奇形性は、ヒト胎児で発現するＣＹＰ３Ａ７による代謝活性化が関与している可能性が推測されているが、明らかにされていないのが現状である。
ウェルズらはウサギにおいて、サイクロオキシゲナーゼの阻害剤であるアセチルサリチル酸を投与することでサリドマイドの催奇形性を抑制することを発見し（Ｔｈｅ  Ｊｏｕｒｎａｌ  ｏｆ  Ｐｈａｒｍａｃｏｌｏｇｙ  ａｎｄ  Ｅｘｐｅｒｉｍｅｎｔａｌ  Ｔｈｅｒａｐｅｕｔｉｃｓ，２７７，１６４９−１６５８，１９９６）、サイクロオキシゲナーゼが、催奇形性を生じさせる活性反応中間体を生じさせていることを証明した。サイクロオキシゲナーゼを過剰に発現しているマウスまたはラットが存在したならば、サリドマイドの薬害は防ぐことができたとも予想される。
近年、トランスジェニック動物および遺伝子ターゲティングにより、ほ乳類の遺伝子の機能解析が進んでいる。トランスジェニック動物は、遺伝子の機能解析のみならず、その遺伝子および他の遺伝子の相互作用によって生じる疾病の機序解明に重要な役割を果たしている。トランスジェニック動物は、動物またはこの動物の先祖の胚芽ラインの中へ初期（通常、単細胞）発育段階において導入された遺伝子を有する。ワグナー（Ｗａｇｎｅｒ  ｅｔ  ａｌ．、プロシーデイングス・オブ・ナショナル・アカデミー・オブ・サイエンス（Ｐｒｏｃ．Ｎａｔｌ．Ａｃａｄ．Ｓｃｉ．Ｕ．Ｓ．Ａ．）第７８巻、第５０１６頁、１９８１年）およびスチュワート（Ｓｔｅｗａｒｔ  ｅｔ  ａｌ．、Ｓｃｉｅｎｃｅ、第２１７巻、第１０４６頁、１９８２年）は、ヒトグロビン遺伝子を含有するトランスジェニックマウスを記載している。コンスタンチーニ（Ｃｏｎｓｔａｎｔｉｎｉ  ｅｔ  ａｌ．、１９８１、Ｎａｔｕｒｅ、第２９４巻、第９２頁、１９８１年）およびレーシ（Ｌａｃｙ  ｅｔ  ａｌ．、Ｃｅｌｌ、第３４巻、第３４３頁、１９８３年）は、ウサギグロビン遺伝子を含有するトランスジェニックマウスを記載している。マックナイト（ＭｃＫｎｉｇｈｔ  ｅｔ  ａｌ．、セル、第３４巻、第３３５頁、１９８３年）は、トランスフエリン遺伝子を含有するトランスジェニックマウスを記載している。ブリンスター（Ｂｒｉｎｓｔａｒ  ｅｔ  ａｌ．、９８３、Ｎａｔｕｒｅ、第３０６巻、第３３２頁、１９８３年）は、機能的に導入された免疫グロブリン遺伝子を含有するトランスジェニックマウスを記載している。
本発明者らも、これまでにヒトＰ４５０トランスジェニックマウスを作製した（Ｙｏｎｇ  Ｌｉ，ｅｔ  ａｌ，Ａｒｃｈｉｖｅｓ  ｏｆ  Ｂｉｏｃｈｅｍｉｓｔｒｙ  ａｎｄ  Ｂｉｏｐｈｙｓｉｃｓ，Ｖｏｌ．３２９，Ｎｏ．２，２３５−２４０，１９９６）。ＣＹＰ３Ａ７タンパク質は、アフラトキシンＢ１を代謝的に活性化する。生成した活性代謝産物はＤＮＡを損傷するので、細菌を用いた変異原性試験にこの酵素を添加するとその活性化能がわかる。サルモネラＴＡ１００を用いた変異原性試験にヒトＰ４５０  ＣＹＰ３Ａトランスジェニックマウス肝ミクロソームを添加すると、野生型マウスの肝ミクロソームよりもアフラトキシンＢ１を効率良く活性化した。
このヒトＰ４５０  ＣＹＰ３Ａトランスジェニックマウスの催奇形性検出能力についても、興味あるところであるが、これまで催奇形性検出には至っていないのが現状である。この理由としては、このヒトＰ４５０  ＣＹＰ３Ａトランスジェニックマウスの胎児におけるＣＹＰ３Ａ７タンパク質の発現が低いことが原因と考えられている。
発明の開示
本発明が解決しようとする課題は、薬物の胎児毒性・催奇形性を予測する試験に有用なトランスジェニック動物、並びに当該トランスジェニック動物を作成するために使用できる導入用の組み換え遺伝子を提供することである。
本発明者らは上記課題を解決するために鋭意研究を重ねた結果、先ず、ヒト型薬物代謝酵素遺伝子としてＣＹＰ１Ａ１、ＣＹＰ１Ｂ１、ＣＹＰ２Ｅ１、ＣＹＰ３Ａ７、ＣＯＸ−１、及びＣＯＸ−２を用い、これらをＣＭＶエンハンサー、ヒトＥＦ１αプロモーターの下流に接続し、ＳＶ４０ポリＡ付加シグナル、さらに、ニワトリベータグロビン遺伝子インスレーター配列の一部（４２塩基対）を持つ導入遺伝子を構築した。ついで、これらの導入遺伝子を等モルづつ混合し、マウス受精卵に導入し、遺伝子導入受精卵をマウス卵管へ移植するという常法に従い、トランスジェニックマウスを作成した。こうして作成したトランスジェニックマウスの遺伝子型を確認したところ、ヒト型薬物代謝酵素遺伝子が２〜５種類導入されたトランスジェニックマウスを取得することに成功した。本発明はこれらの知見に基づいて完成したものである。
即ち、本発明によれば、（１）ヒトＰ４５０をコードする遺伝子またはその変異遺伝子、（２）ヒトＥＦ１αプロモーター、（３）ニワトリβグロビンインスレーター配列またはその一部、および（４）ＳＶ４０ポリＡ付加シグナルを含有する組み換え遺伝子が提供される。
本発明の上記組み換え遺伝子は、好ましくは、非ヒト動物の細胞内でヒトＰ４５０またはその変異タンパク質を発現しうる。
本発明の別の側面によれば、（１）ヒトサイクロオキシゲナーゼ（ＰＧＨシンターゼ）をコードする遺伝子またはその変異遺伝子、（２）ヒトＥＦ１αプロモーター、（３）ニワトリβグロビンインスレーター配列またはその一部、および（４）ＳＶ４０ポリＡ付加シグナルを含有する組み換え遺伝子が提供される。
本発明の上記組み換え遺伝子は、好ましくは、非ヒト動物の細胞内でヒトサイクロオキシゲナーゼまたはその変異タンパク質を発現しうる。
本発明のさらに別の側面によれば、上記した本発明の組み換え遺伝子を含む組み換えベクターが提供される。
本発明のさらに別の側面によれば、上記した本発明の組み換えベクターを有する形質転換体が提供される。
本発明のさらに別の側面によれば、ヒトＰ４５０遺伝子またはその変異遺伝子および／またはヒトサイクロオキシゲナーゼ遺伝子またはその変異遺伝子から選ばれる複数の遺伝子が導入されているトランスジェニック非ヒト動物またはその子孫またはその一部が提供される。
本発明の好ましい態様によれば；
導入されているヒトＰ４５０遺伝子またはその変異遺伝子および／またはヒトサイクロオキシゲナーゼ遺伝子またはその変異遺伝子が体内で発現している、上記トランスジェニック非ヒト動物またはその子孫またはその一部；
導入されているヒトＰ４５０遺伝子またはその変異遺伝子および／またはヒトサイクロオキシゲナーゼ遺伝子またはその変異遺伝子が胎児の体内で発現している、上記トランスジェニック非ヒト動物またはその子孫またはその一部；
ヒトＰ４５０遺伝子またはその変異遺伝子が、（１）ヒトＰ４５０をコードする遺伝子またはその変異遺伝子、（２）ヒトＥＦ１αプロモーター、（３）ニワトリβグロビンインスレーター配列またはその一部、および（４）ＳＶ４０ポリＡ付加シグナルを含有する組み換え遺伝子として導入されている、上記トランスジェニック非ヒト動物またはその子孫またはその一部；並びに
ヒトサイクロオキシゲナーゼ遺伝子またはその変異遺伝子が、（１）ヒトサイクロオキシゲナーゼ（ＰＧＨシンターゼ）をコードする遺伝子またはその変異遺伝子、（２）ヒトＥＦ１αプロモーター、（３）ニワトリβグロビンインスレーター配列またはその一部、および（４）ＳＶ４０ポリＡ付加シグナルを含有する組み換え遺伝子として導入されている、上記トランスジェニック非ヒト動物またはその子孫またはその一部；
が提供される。
本発明の好ましい態様によれば；
ヒトＰ４５０遺伝子がＣＹＰ１Ａ１遺伝子、ＣＹＰ１Ｂ１遺伝子、ＣＹＰ２Ｅ１遺伝子またはＣＹＰ３Ａ７遺伝子である、上記のトランスジェニック非ヒト動物またはその子孫またはその一部；並びに
ヒトサイクロオキシゲナーゼ遺伝子がサイクロオキシゲナーゼ−１（ＣＯＸ−１）遺伝子またはサイクロオキシゲナーゼ−２（ＣＯＸ−２）遺伝子である、上記のトランスジェニック非ヒト動物またはその子孫またはその一部；
が提供きれる。
本発明の好ましい態様によれば、
ＣＯＸ−１遺伝子及びＣＯＸ−２遺伝子が導入されているトランスジェニック非ヒト動物；
ＣＹＰ１Ａ１遺伝子、ＣＹＰ１Ｂ１遺伝子、ＣＹＰ３Ａ７遺伝子及びＣＯＸ−２遺伝子が導入されているトランスジェニック非ヒト動物；
ＣＹＰ１Ｂ１遺伝子、ＣＯＸ−１遺伝子及びＣＯＸ−２遺伝子が導入されているトランスジェニック非ヒト動物；及び
ＣＹＰ１Ａ１遺伝子、ＣＹＰ１Ｂ１遺伝子、ＣＹＰ３Ａ７遺伝子、ＣＯＸ−１遺伝子及びＣＯＸ−２遺伝子が導入されているトランスジェニック非ヒト動物；から成る群から選択される、トランスジェニック非ヒト動物またはその子孫またはその一部が提供される。
本発明において好ましくは、非ヒト動物は、マウス、ラット、ハムスター、モルモット、ウサギ、イヌ、ネコ、ウマ、ウシ、ヒツジ、ブタ、ヤギ、サル、ニワトリ、ウズラ、ショウジョウバエ及び線虫から成る群から選択される非ヒト動物であり、特に好ましくはマウスである。
本発明のさらに別の側面によれば、上記した本発明のトランスジェニック非ヒト動物またはその子孫またはその一部を用いることを特徴とする胎児毒性・催奇形性を予測するスクリーニング方法が提供される。
好ましくは、上記した本発明のトランスジェニック非ヒト動物またはその子孫またはその一部に試験化合物を投与し、胎児毒性・催奇形性の発現を観察することを特徴とするスクリーニング方法が提供される。
本発明のさらに別の側面によれば、
上記した本発明のスクリーニング方法において胎児毒性・催奇形性を有しないと判定される物質；並びに
上記した本発明のスクリーニング方法において胎児毒性・催奇形性を有しないと判定される物質を含有する医薬；
が提供される。
好ましくは、本発明の医薬は、中枢神経疾患、精神疾患、腎疾患、骨疾患、関節疾患、肺疾患、動脈硬化症、心疾患、糖尿病、消化器疾患、感染症、アレルギー疾患、内分泌疾患、痴呆症または癌の予防・治療剤である。
発明を実施するための最良の形態
以下、本発明の実施の形態について詳細に説明する。
（１）本発明の組み換え遺伝子について
本発明は、
（１）ヒトＰ４５０をコードする遺伝子またはその変異遺伝子、（２）ヒトＥＦ１αプロモーター、（３）ニワトリβグロビンインスレーター配列またはその一部、および（４）ＳＶ４０ポリＡ付加シグナルを含有する組み換え遺伝子；並びに、
（１）ヒトサイクロオキシゲナーゼ（ＰＧＨシンターゼ）をコードする遺伝子またはその変異遺伝子、（２）ヒトＥＦ１αプロモーター、（３）ニワトリβグロビンインスレーター配列またはその一部、および（４）ＳＶ４０ポリＡ付加シグナルを含有する組み換え遺伝子に関する。
本発明の組み換え遺伝子は、ヒトＥＦ１αプロモーター配列の下流に、ヒトＰ４５０をコードする遺伝子（またはその変異遺伝子）あるいはヒトサイクロオキシゲナーゼ（ＰＧＨシンターゼ）をコードする遺伝子（またはその変異遺伝子）を含むことを特徴とする。このような構造を有する組み換え遺伝子を導入遺伝子として用いてトランスジェニック動物を作成することにより、導入遺伝子を効率よく発現するトランスジェニック動物を作成することが可能になる。
ヒトＰ４５０をコードする遺伝子の中でも、本発明においては薬物代謝に関与するＰ４５０の遺伝子を用いることが好ましい。より具体的には、ＣＹＰ１−ＣＹＰ３のファミリーに属する分子種が好ましく、例えば、癌原性多環芳香族炭化水素や焼けこげに含まれるヘテロサイクリックアミンの代謝的活性化に関与し、多環芳香族炭化水素によって誘導されるＣＹＰ１ＡとＣＹＰ１Ｂ、テストステロンの６β水酸化をはじめ多くの薬物を代謝するＣＹＰ３Ａ、アルコールの酸化やジメチルニトロソアミンなどの代謝的活性化に関与するＣＹＰ２Ｅなどが挙げられる。
ヒトＰ４５０遺伝子の具体例としては、ＣＹＰ１Ａ１遺伝子、ＣＹＰ１Ｂ１遺伝子、ＣＹＰ２Ｅ１遺伝子及びＣＹＰ３Ａ７遺伝子などが挙げられるが、これらに限定されるわけではない。
一方、ヒトサイクロオキシゲナーゼ（ＰＧＨシンターゼ）をコードする遺伝子としては、サイクロオキシゲナーゼ−１（ＣＯＸ−１）遺伝子またはサイクロオキシゲナーゼ−２（ＣＯＸ−２）遺伝子などが挙げられるが、これらに限定されるわけではない。
本発明で用いるヒトＰ４５０をコードする遺伝子またはヒトサイクロオキシゲナーゼ（ＰＧＨシンターゼ）をコードする遺伝子は、変異遺伝子であってもよい。このような変異遺伝子がコードする変異タンパク質は、野生型タンパク質と同等以上の機能を維持していることが好ましい。
変異遺伝子として具体的には、野生型遺伝子中の塩基配列の一部が欠損した遺伝子、レポーター遺伝子の塩基配列が他の塩基配列で置換された遺伝子、レポーター遺伝子の一部に他の塩基配列が挿入された遺伝子などが用いられる。欠損、置換または付加を受ける塩基の数は、特に限定されないが、通常、１ないし６０個程度、好ましくは１から３０個程度、より好ましくは１ないし１５個程度であり、これにより野生型タンパク質のアミノ酸配列中に１〜複数個（例えば１〜２０個、好ましくは１〜１０個、より好ましくは１〜５個）のアミノ酸の置換、欠失、付加及び／または挿入を有するタンパク質が得られることになる。
変異遺伝子は、化学合成、遺伝子工学的手法、突然変異誘発などの当業者に既知の任意の方法で作製することができる。具体的には、野生型遺伝子に対して変異原となる薬剤を接触作用させたり、紫外線を照射したり、あるいはＰＣＲ法などの遺伝子工学的手法を用いることにより変異遺伝子を取得することができる。遺伝子工学的手法の一つである部位特異的変異誘発法は特定の位置に特定の変異を導入できる手法であることから特に有用であり、Ｍｏｌｅｃｕｌａｒ  Ｃｌｏｎｉｎｇ：Ａ  ｌａｂｏｒａｔｏｒｙ  Ｍａｎｎｕａｌ，２ｎＤ  ＥＤ．，Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ，ＮＹ．，１９８９、及びＣｕｒｒｅｎｔ  Ｐｒｏｔｏｃｏｌｓ  ｉｎ  Ｍｏｌｅｃｕｌａｒ  Ｂｉｏｌｏｇｙ，Ｓｕｐｐｌｅｍｅｎｔ  １〜３８，Ｊｏｈｎ  Ｗｉｌｅｙ  ＆  Ｓｏｎｓ（１９８７−１９９７）等に記載の方法に準じて実施することができる。
本発明の組み換え遺伝子は、ヒトＥＦ１αプロモーターを含む。ヒトＥＦ１αプロモーターは既知であり、例えば、例えば、Ｋｉｍ  Ｄ．Ｗ．，Ｕｅｔｓｕｋｉ  Ｔ．，Ｋａｚｉｒｏ  Ｙ．，Ｙａｍａｇｕｃｈｉ  Ｎ．，Ｓｕｇａｎｏ  Ｓ．，Ｕｓｅ  ｏｆ  ｔｈｅ  ｈｕｍａｎ  ｅｌｏｎｇａｔｉｏｎ  ｆａｃｔｏｒ  １  ａｌｐｈａ  ｐｒｏｍｏｔｅｒ  ａｓ  ａ  ｖｅｒｓａｔｉｌｅ  ａｎｄ  ｅｆｆｉｃｉｅｎｔ  ｅｘｐｒｅｓｓｉｏｎ  ｓｙｓｔｅｍ，Ｇｅｎｅ，１９９０，１６に記載されている。本発明の組み換え遺伝子においては、ヒトＥＦ１αプロモーターは、ヒトＰ４５０をコードする遺伝子（またはその変異遺伝子）あるいはヒトサイクロオキシゲナーゼ（ＰＧＨシンターゼ）をコードする遺伝子（またはその変異遺伝子）の上流に組み込まれており、これらの遺伝子はヒトＥＦ１αプロモーターの制御下に置かれるようになる。また、本発明の組み換え遺伝子は、プロモーター配列の上流にエンハンサー配列を含んでいてもよい。使用できるエンハンサー配列としては、ＣＭＶエンハンサーなどが挙げられるが、これに限定されるわけではない。
本発明の組み換え遺伝子は、ニワトリβグロビンインスレーター配列またはその一部を含む。インスレーター配列とは、トランスジェニック動物においては、「位置効果」からの遺伝子発現の抑制から守る遺伝子配列のことである。近隣のシスエレメントの影響に対するバリアとして期待されている。
本発明の組み換え遺伝子におけるインスレーター配列またはその一部の存在位置は特に限定されず、導入遺伝子［即ち、ヒトＰ４５０をコードする遺伝子（またはその変異遺伝子）あるいはヒトサイクロオキシゲナーゼ（ＰＧＨシンターゼ）をコードする遺伝子（またはその変異遺伝子）］の５’側（上流）でも３’側（下流）でもよく、その両方に存在してもよい。
本発明の組み換え遺伝子はさらに、ＳＶ４０ポリＡ付加シグナルを含有する。このようなポリＡ付加シグナル配列を挿入することにより、目的とするメッセンジャーＲＮＡの転写を終結することができる。
上記した本発明の組み換え遺伝子の好ましい態様としては、５’から３’方向に、ニワトリβグロビンインスレーター配列またはその一部、ＣＭＶエンハンサー、ヒトＥＦ１αプロモーター、ヒトＰ４５０をコードする遺伝子（またはその変異遺伝子）あるいはヒトサイクロオキシゲナーゼ（ＰＧＨシンターゼ）をコードする遺伝子（またはその変異遺伝子）、ＳＶ４０ポリＡ付加シグナル配列、及びニワトリβグロビンインスレーター配列またはその一部を含む組み換え遺伝子が挙げられる。
本発明の組み換え遺伝子は、自体公知の組み換え遺伝子技術あるいはそれに準じる方法に従って製造することができる。
（２）本発明の組み換えベクター及び該組み換えベクターを有する形質転換体について
本発明はさらに、上記した本発明による組み換え遺伝子を含む組み換えベクター及び該組み換えベクターを有する形質転換体にも関する。
細菌を宿主とする場合のベクターの具体例としては、例えば、ｐＢＴｒＰ２、ｐＢＴａｃ１、ｐＢＴａｃ２（いずれもベーリンガーマンハイム社より市販）、ｐＫＫ２３３−２（Ｐｈａｒｍａｃｉａ社製）、ｐＳＥ２８０（Ｉｎｖｉｔｒｏｇｅｎ社製）、ｐＧＥＭＥＸ−１（Ｐｒｏｍｅｇａ社製）、ｐＱＥ−８（ＱＩＡＧＥＮ社製）、ｐＱＥ−３０（ＱＩＡＧＥＮ社製）、ｐＫＹＰ１０（特開昭５８−１１０６００）、ｐＫＹＰ２００〔Ａｇｒｃ．Ｂｉｏｌ．Ｃｈｅｍ．，４８，６６９（１９８４）〕、ＰＬＳＡ１〔Ａｇｒｃ．Ｂｌｏｌ．Ｃｈｅｍ．，５３，２７７（１９８９）〕、ｐＧＥＬ１〔Ｐｒｏｃ．Ｎａｔｌ．Ａｃａｄ．Ｓｃｉ．ＵＳＡ，８２，４３０６（１９８５）〕、ｐＢｌｕｅｓｃｒｌｐｔＩＩ  ＳＫ＋、ｐＢｌｕｅｓｃｒｉｐｔＩＩ  ＳＫ（−）（Ｓｔｒａｔａｇｅｎｅ社製）、ｐＴｒＳ３０（ＦＥＲＭＢＰ−５４０７）、ｐＴｒＳ３２（ＦＥＲＭ  ＢＰ−５４０８）、ｐＧＥＸ（Ｐｈａｒｍａｃｉａ社製）、ｐＥＴ−３（Ｎｏｖａｇｅｎ社製）、ｐＴｅｒｍ２（ＵＳ４６８６１９１、ＵＳ４９３９０９４、ＵＳ５１６０７３５）、ｐＳｕｐｅｘ、ｐＵＢ１１０、ｐＴＰ５、ｐＣ１９４、ｐＵＣ１８〔Ｇｅｎｅ，３３，１０３（１９８５）〕、ｐＵＣ１９〔Ｇｅｎｅ，３３，１０３（１９８５）〕、ｐＳＴＶ２８（宝酒造社製）、ｐＳＴＶ２９（宝酒造社製）、ｐＵＣ１１８（宝酒造社製）、ｐＰＡ１（特開昭６３−２３３７９８）、ｐＥＧ４００〔Ｊ．Ｂａｃｔｅｒｉｏｌ．，１７２，２３９２（１９９０）〕、ｐＱＥ−３０（ＱＩＡＧＥＮ社製）等が挙げられるが、これらに限定されるわけではない。
酵母を宿主とするベクターの具体例として、例えば、ＹＥｐ１３（ＡＴＣＣ３７１１５）、ＹＥｐ２４（ＡＴＣＣ３７０５１）、Ｙｃｐ５０（ＡＴＣＣ３７４１９）、ｐＨＳ１９、ｐＨＳ１５等が挙げられるが、これらに限定されるわけではない。
動物細胞を宿主とするベクターの具体例として、例えば、ｐｃＤＮＡＩ、ｐｃＤＭ８（フナコシ社より市販）、ｐＡＧＥ１０７〔特開平３−２２９７９；Ｃｙｔｏｔｅｃｈｎｏｌｏｇｙ，３，１３３，（１９９０）〕、ｐＡＳ３−３（特開平２−２２７０７５）、ｐＣＤＭ８〔Ｎａｔｕｒｅ，３２９，８４０，（１９８７）〕、ｐｃＤＮＡＩ／ＡｍＰ（Ｉｎｖｉｔｒｏｇｅｎ社製）、ｐＲＥＰ４（Ｉｎｖｉｔｒｏｇｅｎ社製）、ｐＡＧＥ１０３〔Ｊ．Ｂｌｏｃｈｅｍ．，１０１，１３０７（１９８７）〕、ｐＡＧＥ２１０等が挙げられるが、これらに限定されるわけではない。
形質転換体を作成する際に使用する宿主細胞としては、目的とする遺伝子を発現できるものは全て用いることができる。例えば、細菌（例えば、エッシェリヒア属、セラチア属、コリネバクテリウム属、ブレビバクテリウム属、シュードモナス属、バチルス属、ミクロバクテリウム属等）、酵母（クルイベロミセス属、サッカロマイセス属、シゾサッカロマイセス属、トリコスポロン属、シワニオミセス属等）、動物細胞（ナマルバ細胞、ＣＯＳ１細胞、ＣＯＳ７細胞、ＣＨＯ細胞等）、植物細胞、昆虫細胞（Ｓｆ９細胞、Ｓｆ２１細胞、Ｈｉｇｈ５細胞等）等を用いることができる。
組み換えベクターの宿主への導入方法は、宿主の種類等に応じて任意の方法を適宜選択できる。細菌宿主への導入方法としては、例えば、カルシウムイオンを用いる方法やプロトプラスト法等を挙げることができ、酵母への導入方法としては、例えば、エレクトロポレーション法、スフェロブラスト法または酢酸リチウム法など挙げることができ、動物細胞への導入方法としては、例えば、エレクトロポーレーション法、リン酸カルシウム法、リポフェクション法等を挙げることができる。
（３）本発明のトランスジェニック非ヒト動物について
本発明はさらに、ヒトＰ４５０遺伝子またはその変異遺伝子および／またはヒトサイクロオキシゲナーゼ遺伝子またはその変異遺伝子から選ばれる複数の遺伝子が導入されているトランスジェニック非ヒト動物またはその子孫またはその一部に関する。本発明の好ましい態様では、導入されているヒトＰ４５０遺伝子またはその変異遺伝子および／またはヒトサイクロオキシゲナーゼ遺伝子またはその変異遺伝子は体内で発現しており、より好ましくは胎児の体内で発現している。
本発明のトランスジェニック動物には、ヒトＰ４５０遺伝子またはその変異遺伝子および／またはヒトサイクロオキシゲナーゼ遺伝子またはその変異遺伝子（以下、目的遺伝子とも称する）を体内で発現可能なように組み込んだ組み換え遺伝子（以下、導入遺伝子とも称する）が導入されている。
先ず、本発明のトランスジェニック動物の作成に用いる導入遺伝子について説明する。
本発明で用いる導入遺伝子は、非ヒト動物で作動可能なプロモーター配列の下流に目的遺伝子が存在する。このような構成をとることにより、非ヒト動物の細胞内において目的遺伝子を発現させることが可能になる。即ち、本発明で用いる導入遺伝子では、目的遺伝子は上記プロモーターの制御下に置かれるように配置されている。
導入遺伝子で用いるプロモーター配列は、非ヒト動物で作動可能であれば特に限定されない。
このように非ヒト動物で発現可能なプロモーターとしては、例えば、ウィルス（例、サイトメガロウィルス、モロニー白血病ウィルス、ＪＣウィルス、乳癌ウィルスなど）由来遺伝子プロモーター、各種哺乳動物（例えば、ヒト、ウサギ、イヌ、ネコ、モルモット、ハムスター、ラット、マウスなど）由来のプロモーターなどが用いられる。各哺乳動物由来のプロモーターとしては、例えば、アルブミン、エンドセリン、オステオカルシン、筋クレアチンキナーゼ、コラーゲンＩ型およびＩＩ型、サイクリックＡＭＰ依存タンパクキナーゼβサブユニット（ザ・ジャーナル・オブ・バイオロジカル・ケミストリー（Ｔｈｅ  Ｊｏｕｒｎａｌ  ｏｆ  Ｂｉｏｌｏｇｉｃａｌ  Ｃｈｅｍｉｓｔｒｙ），Ｖｏｌ．２７１，Ｎｏ．３，ｐｐ１６３８−１６４４，１９９６）、心房ナトリウム利尿性因子、ドーパミン  β−水酸化酵素、ニューロフィラメント軽鎖（ザ・ジャーナル・オブ・バイオロジカル・ケミストリー（Ｔｈｅ  Ｊｏｕｒｎａｌ  ｏｆ  Ｂｉｏｌｏｇｉｃａｌ  Ｃｈｅｍｉｓｔｒｙ），Ｖｏｌ．２７０，Ｎｏ．４３，ｐｐ２５７３９−２５７４５，１９９５および同Ｖｏｌ．２７２，Ｎｏ．４０，ｐｐ２５１１２−２５１２０，１９９７）、メタロチオネイン、メタロプロティナーゼ１組織インヒビター、平滑筋αアクチン、ポリペプチド鎖延長因子１α（ＥＦ−１α）、βアクチン、αおよびβミオシン重鎖、ミオシン軽鎖１および２、ミエリン塩基性タンパク、血清アミロイドＰコンポーネント、レニンなどのプロモーターが用いられる。
上記以外にも、例えば、Ｍｏｌｅｃｕｌａｒ  Ｍｅｄｉｃｉｎｅ臨時増刊号、マニュアル疾患モデルマウス；山村研一、勝木元也、相沢慎一編、中山書店等の文献に記載されているプロモーターも使用することができる。
本発明で用いるのに好ましいプロモーターとしては、本明細書の実施例で使用したヒトＥＦ１αプロモーターが挙げられるが、それ以外にも以下のものが挙げられる。
（１）βアクチンプロモーター
一般的にはＣＭＶエンハンサーとβアクチンプロモーターの組み合わせとして使用される。例えば、ｐＣＡＧＧＳ；ｃｈｉｃｋｅｎ  ｂｅｔａ−ａｃｔｉｎ  ｐｒｏｍｏｔｅｒ  ａｎｄ  ｃｙｔｏｍｅｇａｌｏ  ｖｉｒｕｓ  ｅｎｈａｎｃｅｒ．ｂｅｔａ−ａｃｔｉｎ  ｉｎｔｒｏｎ  ａｎｄ  ｂｏｖｉｎｅ  ｇｌｏｂｉｎ  ｐｏｌｙ−ａｄｅｎｙｌａｔｉｏｎ  ｓｉｇｎａｌなど。引用文献としては、Ｈ．Ｎｉｗａ，Ｋ．Ｙａｍａｎａｍｉ，Ｊ．Ｍｉｙａｚａｋｉ，Ｇｅｎｅ，１０８，（１９９１）１９３−１９９を参照。
（２）ＣＭＶプロモーター
一般的には、ＣＭＶエンハンサーとＣＭＶプロモーターの組み合わせとして使用される。引用文献としては、Ｊａｎｅｔ  Ａ．Ｓａｗｉｃｋｉ  ｅｔ  ａｌ  Ｅｘｐｅｒｉｍｅｎｔａｌ  Ｃｅｌｌ  Ｒｅｓｅａｒｃｈ  ２４４，３６７−３６９（１９９８）を参照。
（３）メタロチオネインプロモーター
引用文献としては、Ｅｓｔａｂｌｉｓｈｍｅｎｔ  ｏｆ  Ｔｒａｎｓｇｅｎｉｃ  Ｍｉｃｅ  Ｃａｒｒｙｉｎｇ  Ｈｕｍａｎ  Ｆｅｔｕｓ−Ｓｐｅｃｉｆｉｃ  ＣＹＰ３Ａ７  Ｙｏｎｇ  Ｌｉ，ｅｔ  ａｌ，Ａｒｃｈｉｖｅｓ  ｏｆ  Ｂｉｏｃｈｅｍｉｓｔｒｙ  ａｎｄ  Ｂｉｏｐｈｙｓｉｃｓ，Ｖｏｌ．３２９，Ｎｏ．２，２３５−２４０，１９９６を参照。
（４）Ａｐｏｌｉｐｏｐｒｏｔｅｉｎ  Ｅプロモーター
胎児肝臓での発現を意図したプロモーター。引用文献としては、Ｓｉｍｏｎｅｔ  ｅｔ  ａｌ．，１９９３，Ｊ．Ｂｉｏｌ．Ｃｈｅｍ．，２６８，８２２１−８２２９を参照。
本発明で用いる導入遺伝子は、プロモーター配列の上流にエンハンサー配列を含んでいてもよい。使用できるエンハンサー配列としては上記したＣＭＶエンハンサーなどが挙げられる。
本発明で用いる導入遺伝子は、インスレーター配列またはその一部を含んでいてもよい。インスレーター配列とは，トランスジェニック動物においては，「位置効果」からの遺伝子発現の抑制から守る遺伝子配列のことである。近隣のシスエレメントの影響に対するバリアとして期待されている。
インスレーター配列またはその一部の位置は特に限定されず、導入遺伝子（即ち、目的遺伝子）の５’側（上流）及び／又は３’側（下流）に存在することができる。好ましくは、インスレーター配列またはその一部は、プロモーター配列の５’側の上流（またはエンハンサー配列が存在する場合にはその上流）と、以下に説明するポリＡ付加シグナル配列の３’側の下流に存在する。
本発明で用いる導入遺伝子において使用できるインスレーター配列としては、本明細書の実施例で使用したニワトリベータグロビン由来インスレーター配列の他にも以下のものが挙げられるが、これらに限定されるものではない。
（１）ショウジョウバエｓｃｓおよびｓｃｓ’配列
Ｒｅｂｅｃｃａ  Ｋｅｌｌｕｍ  ａｎｄ  Ｐａｕｌ  Ｓｃｈｅｄｌ，Ｃｅｌｌ，Ｖｏｌ．６４，９４１−９５０，Ｍａｒｃｈ  ８，１９９１
（２）ショウジョウバエｇｙｐｓｙトランスポゾンのインスレーター配列
Ｈｏｌｄｒｉｇｅ，Ｃ．，ａｎｄ  Ｄ．Ｄｏｒｓｅｔｔ，１９９１  Ｍｏｌ．Ｃｅｌｌ．Ｂｉｏｌ．１１：１８９４−１９００
（３）ウニアリルサルファターゼインスレータ配列
Ｋｏｊｉ  Ａｋａｓａｋａ，ｅｔ．ａｌ．，Ｃｅｌｌｕｌａｒ  ａｎｄ  Ｍｏｌｅｃｕｌａｒ  Ｂｉｏｌｏｇｙ  ４５（５），５５５−５６５，１９９９
（４）ヒトＴ細胞レセプターα／δ遺伝子座ＢＥＡＤエレメント
Ｚｈｏｎｇ，Ｘ．Ｐ．，ａｎｄ  Ｍ．Ｓ．Ｋｒａｎｇｅｌ，１９９７  Ｐｒｏｃ．Ｎａｔｕｌ．Ａｃａｄ．Ｓｃｉ．ＵＳＡ
（５）ヒトアポリポ蛋白Ｂ−１００（ａｐｏＢ）マトリックスアタッチメント部位
Ｎａｍｃｉｕ  ｅｔ  ａｌ，１９９８，Ｍｏｌ．Ｃｅｌｌ．Ｂｉｏｌ．１８：２３８２−２３９１
本発明で用いる導入遺伝子は、目的遺伝子の下流にポリＡ付加シグナル配列を含んでいてもよい。ポリＡ付加シグナル配列を挿入することにより、目的とするメッセンジャーＲＮＡの転写を終結することができる。
ポリＡ付加シグナル配列の具体例としては、ＳＶ４０ポリＡ付加シグナルなどが挙げられるが、これに限定されるわけではない。
本発明で用いる導入遺伝子は、自体公知の方法あるいはそれに準じる方法に従って製造することができる。
本発明で用いる導入遺伝子として好ましいものは、
（１）ヒトＰ４５０をコードする遺伝子またはその変異遺伝子、（２）ヒトＥＦ１αプロモーター、（３）ニワトリβグロビンインスレーター配列またはその一部、および（４）ＳＶ４０ポリＡ付加シグナルを含有する組み換え遺伝子；並びに、
（１）ヒトサイクロオキシゲナーゼ（ＰＧＨシンターゼ）をコードする遺伝子またはその変異遺伝子、（２）ヒトＥＦ１αプロモーター、（３）ニワトリβグロビンインスレーター配列またはその一部、および（４）ＳＶ４０ポリＡ付加シグナルを含有する組み換え遺伝子；
であり、これらの組み換え遺伝子の詳細は本明細書中上記した通りである。
また、ヒトＰ４５０をコードする遺伝子またはヒトサイクロオキシゲナーゼ（ＰＧＨシンターゼ）をコードする遺伝子の好ましい例についても本明細書中上記した通りである。
本発明のトランスジェニック動物としては、上記した導入遺伝子を導入した非ヒト動物の受精卵から発生した胚、並びにこの胚を、対応する非ヒト動物の子宮または卵管へ移植して発生させた胎児をも包含する。これらの動物は、目的遺伝子を発現するトランスジェニック非ヒト動物である。
本発明は、トランスジェニック非ヒト動物の一部にも関する。該非ヒト動物の一部としては、非ヒト動物の細胞内小器官、細胞、組織および臓器のほか、頭部、指、手、足、腹部、尾などが挙げられる。
本明細書で言う非ヒト動物としては、例えば、非ヒト哺乳動物（例、ウサギ、イヌ、ネコ、モルモット、ハムスター、マウス、ラット、ヒツジ、ヤギ、ブタ、ウマ、ウシ、サルなど）、鳥類（例、ニワトリ、ウズラなど）、昆虫（例、ショウジョウバエなど）、線虫などが挙げられるが、これらに限定されるものではない。非ヒト動物としては、好ましくは非ヒト哺乳動物であり、なかでもマウス、ラット、モルモットなどの齧歯目（Ｒｏｄｅｎｔｉａ）の哺乳動物がより好ましく、マウス及びラットが特に好ましい。マウスとしては、例えば、純系としてはＣ５７ＢＬ／６系統、ＤＢＡ／２系統、ＢＡＬＢ／ｃ系統などが挙げられ、交雑系としてはＢ６Ｃ３Ｆ１系統、Ｂ６Ｄ２Ｆ１系統などが挙げられ、クローズドコロニーとしては、ＩＣＲ系統などが挙げられる。ラットの具体例としては、例えば、Ｗｉｓｔａｒ，ＳＤなどが挙げられる。
本発明の実施態様の一つにおいては、本発明のトランスジェニック非ヒト動物は、目的遺伝子を特定の部位で発現するように組み込んだＤＮＡを有していてもよい。
本明細書で言う「特定の部位で発現するように」とは、細胞内特定部位、細胞内小器官、細胞、組織または臓器などの特定部位で目的遺伝子を発現し得ることをいう。
細胞内特定部位としては神経細胞等における軸索などが挙げられる。細胞内小器官としては、例えば、核、ミトコンドリア、ゴルジ体、小胞体、リボソーム、細胞膜などが挙げられる。細胞とは、例えば、哺乳動物の肝細胞、脾細胞、神経細胞、グリア細胞、膵臓β細胞、骨髄細胞、メサンギウム細胞、ランゲルハンス細胞、表皮細胞、上皮細胞、内皮細胞、線維芽細胞、線維細胞、筋細胞、脂肪細胞、免疫細胞、巨核球、滑膜細胞、軟骨細胞、骨細胞、骨芽細胞、破骨細胞、乳腺細胞、肝細胞もしくは間質細胞、またはこれら細胞の前駆細胞、幹細胞またはガン細胞などの細胞が挙げられる。組織としては、上記細胞が存在するあらゆる組織、脳（扁桃核、大脳基底球、海馬、視床下部、大脳皮質、延髄、小脳、松果体など）、脊髄、下垂体、胃、生殖腺、甲状腺、胆嚢、骨髄、副腎、皮膚、筋肉、肺、大腸、小腸、十二指腸、直腸、血管、胸腺、顎下腺、末梢血、前立腺、精巣、卵巣、胎盤、子宮、骨、関節、骨格筋などが挙げられ、また血球系細胞でもよく、上記細胞の培養細胞でもよい。臓器としては心臓、腎臓、膵臓、肝臓、脾臓が挙げられる。
好ましい実施態様の一つにおいては、本発明のトランスジェニック非ヒト動物は、目的遺伝子を特定の時期に発現するように組み込んだＤＮＡを有していてもよい。
本明細書で言う「特定の時期」とは、胚発生、出産、発生などから、死亡までのある特定の時期を指す。したがって、特定の時期としては、外来遺伝子を導入した時期を含めた胚発生の各ステージ、生後から時間単位、日単位、週単位、月単位、年単位の時期が経過したいずれの時期であってもよい。
本発明のトランスジェニック非ヒト動物において、目的遺伝子を特定の時期に発現させるためには、特定の時期にタンパク質を発現し得るプロモーター領域、特定の時期にタンパク質を発現し得るシグナル配列などを組み込んだ発現ベクターを用いて、目的遺伝子を有するトランスジェニック非ヒト動物を製造する。
目的遺伝子を特定の時期に発現させるためには、タンパク質発現誘導系を構築したり、特定の時期にタンパク質発現誘導剤を非ヒト動物に投与することによっても可能である。該タンパク質発現誘導系としては、例えば、テトラサイクリンやエクジソン（ｅｃｄｙｓｏｎｅ）を利用した誘導発現システムを利用することができ、その際投与されるものは、それぞれテトラサイクリンあるいはその類縁体、エクジソンあるいはその類縁体である。また、リコンビナーゼを利用したｃｒｅ−ｌｏｘＰシステムなどが用いられる。
さらに、目的遺伝子を特定の時期に発現させるためには、前記したテトラサイクリン、カナマイシン、ハイグロマイシン、ピューロマイシンなどの抗生物質に対する耐性遺伝子などを発現ベクターに組み込むことによっても可能である。本発明の発現ベクターにおける該耐性遺伝子の配置は特に限定されないが、通常、目的遺伝子の下流、プロモーター領域やシグナル配列の上流に配置するのが好ましい。
本発明のトランスジェニック非ヒト動物は、導入遺伝子を対象動物に導入することによって作製できる。具体的には、該導入遺伝子を対象となる非ヒト動物の受精卵、胚性幹細胞、体細胞、精子、または未受精卵へ導入することによって、該遺伝子が胚芽細胞を含むすべての細胞の染色体上に組み込まれたトランスジェニック非ヒト動物を得ることができる。受精卵、胚性幹細胞、体細胞、精子、未受精卵における導入遺伝子の導入は、対象の非ヒト動物の胚芽細胞および体細胞を含む全ての細胞の染色体上に存在するように確保されなくてはならない。
該遺伝子が胚芽細胞を含むすべての細胞の染色体上に組み込まれたトランスジェニック非ヒト動物の遺伝子を受け継いだこの種の動物の子孫は、同様に該遺伝子を有する。導入遺伝子を相同染色体の両方に持つホモザイゴート動物を取得し、この雌雄の動物を交配することによりすべての子孫が該遺伝子を安定に保持し、また、該遺伝子を有することを確認して、通常の飼育環境で繁殖継代することができる。
本発明のトランスジェニック非ヒト動物の作成方法について以下により具体的に説明する。
本発明のトランスジェニック非ヒト動物は、受精卵、受精卵、精子およびその始原細胞を含む生殖細胞などに対して、好ましくは、非ヒト動物の発生における胚形成初期の段階（さらに好ましくは、単細胞または受精卵細胞の段階で、かつ一般に８細胞期以前）に導入遺伝子を導入することによって作出することができる。
導入遺伝子を対象の非ヒト動物またはその先祖の受精卵に導入する際に用いられる受精卵は、同種の雄非ヒト動物と雌非ヒト動物とを交配させることによって得られる。受精卵は自然交配によっても得られるが、雌非ヒト動物の性周期を人工的に調節した後、雄非ヒト動物と交配させる方法が好ましい。雌非ヒト動物の性周期を人工的に調節する方法としては、例えば初めに卵胞刺激ホルモン（妊馬血清性性腺刺激ホルモン）、次いで黄体形成ホルモン（ヒト絨毛性性腺刺激ホルモン）を例えば腹腔注射などにより投与する方法が好ましい。好ましいホルモンの投与量及び投与間隔は非ヒト動物の種類により適宜決定できる。
導入遺伝子の導入法としては、公知の方法（例えば、リン酸カルシウム法、電気パルス法、リポフェクション法、凝集法、マイクロインジェクション法、パーティクルガン法、ＤＥＡＥ−デキストラン法など）を用いることができる。また、上記した導入法により体細胞に目的とする導入遺伝子を導入し、この細胞（またはその核）を上述の生殖細胞と公知の細胞融合法により融合させることにより本発明のトランスジェニック非ヒト動物を作出することもできる。受精卵細胞段階における導入遺伝子の導入は、対象動物の生殖細胞および体細胞のすべてに存在するように確保される。
受精卵に導入遺伝子が導入された後、雌非ヒト動物に人工的に移植・着床することにより、導入遺伝子を有するトランスジェニック非ヒト動物が得られる。黄体形成ホルモン放出ホルモン（ＬＨＲＨ）あるいはその類縁体を投与後、雄非ヒト動物と交配させることにより、受精能を誘起された偽妊娠雌非ヒト動物に、導入遺伝子が導入された受精卵を人工的に移植・着床させる方法が好ましい。ＬＨＲＨあるいはその類縁体の投与量ならびにその投与後に雄非ヒト動物と交配させる時期は非ヒト動物の種類等により適宜選択できる。
導入遺伝子がゲノムＤＮＡに組み込まれているか否かは、産仔の尾部よりＤＮＡを抽出し、サザンハイブリダイゼーションまたはＰＣＲ法等によって検定することによって確認できる。
導入遺伝子の導入後の作出動物の生殖細胞において、導入遺伝子が存在することは、作出動物の後代が、その生殖細胞および体細胞の全てに導入遺伝子を保持することを意味する。導入遺伝子を受け継いだこの種の動物の子孫はその生殖細胞および体細胞のすべてに導入遺伝子を有する。
導入遺伝子を相同染色体の両方に持つホモザイゴート動物を取得し、この雌雄の動物を交配することによりすべての子孫が該導入遺伝子を有するように繁殖継代することができる。このようにして得られた子孫も本発明の動物に含まれる。
なお、トランスジェニック動物の作成の詳細については、例えば、Ｍａｎｉｐｕｌａｔｉｎｇ  ｔｈｅ  Ｍｏｕｓｅ  Ｅｍｂｒｙｏ（Ｂｒｉｇｉｄ  Ｈｏｇａｎ  ｅｔ  ａｌ，Ｃｏｌｄ  Ｓｐｒｉｎｇ  Ｈａｒｂｏｒ  Ｌａｂｏｒａｔｏｒｙ  Ｐｒｅｓｓ，１９８６）、Ｇｅｎｅ  Ｔａｒｇｅｔｉｎｇ，Ａ  Ｐｒａｃｔｉｃａｌ  Ａｐｐｒｏａｃｈ，ＩＲＬ  Ｐｒｅｓｓ  ａｔ  Ｏｘｆｏｒｄ  Ｕｎｉｖｅｒｓｉｔｙ  Ｐｒｅｓｓ（１９９３）、バイオマニュアルシリーズ８，ジーンターゲッティング，ＥＳ細胞を用いた変異マウスの作製，羊土社（１９９５）、発生工学実験マニュアル，トランスジェニック・マウスの作り方，講談社（１９８７）等を参照することができる。
（４）本発明のトランスジェニック非ヒト動物の利用について
本発明はさらに、上記したトランスジェニック非ヒト動物またはその子孫またはその一部を用いることを特徴とする胎児毒性・催奇形性を予測するスクリーニング方法にも関する。本発明のスクリーニング方法の一実施態様では、本発明のトランスジェニック非ヒト動物またはその子孫またはその一部に試験化合物を投与し、胎児毒性・催奇形性の発現を観察する工程を含む。
本発明のトランスジェニック非ヒト動物は、ヒト型薬物代謝酵素遺伝子を複数有しているため、試験化合物の胎児毒性・催奇形性を評価するためのモデル動物として有用である。従って、本発明のトランスジェニック非ヒト動物またはその一部を用いて、試験化合物を投与し、その化合物による胎児毒性・催奇形性を予測するのに用いることができる。
以下に、本発明のトランスジェニック非ヒト動物を用いて、試験化合物をスクリーニングする方法の一例を説明する。本発明で用いる試験化合物の種類は特に限定されず、中枢神経疾患、精神疾患、腎疾患、骨疾患、関節疾患、肺疾患、動脈硬化症、心疾患、糖尿病、消化器疾患、感染症、アレルギー疾患、内分泌疾患、痴呆症、癌など任意の疾患に対して予防・治療効果を有する化合物のスクリーニングを行なうことができる。
試験化合物としては、例えば、ペプチド、タンパク、非ペプチド性化合物、合成化合物、発酵生産物、細胞抽出液、植物抽出液、動物組織抽出液、血漿などが挙げられ、これら化合物は新規な化合物であってもよいし、公知の化合物であってもよい。
具体的には、本発明は、本発明のトランスジェニック動物またはその子孫またはその一部に試験化合物を投与し、無投与の対照トランスジェニック動物またはその一部と比較し、該トランスジェニック動物またはその一部における胎児毒性・催奇形性の発現の変化を指標として、目的物質をスクリーニングする方法を提供する。
胎児毒性・催奇形性の発現は、自体公知あるいはそれに準じる方法に従って観察することができる。
本発明のトランスジェニック非ヒト動物に試験化合物を投与する方法としては、例えば、経口投与、静脈注射などが用いられる。また、試験化合物の投与量は、投与方法、試験化合物の性質などにあわせて適宜選択することができる。
本発明はさらに、上記したスクリーニング方法において胎児毒性・催奇形性を有しないと判定される物質に関する。
本発明のスクリーニング方法を用いて得られる物質は、上記した試験化合物から選ばれた化合物であり、胎児毒性・催奇形性を有さないことが予測されるので、安全で低毒性な治療・予防剤として医薬用途に使用することができる。即ち、本発明は、上記したスクリーニング方法において胎児毒性・催奇形性を有しないと判定される物質を含有する医薬にも関する。
本発明の医薬の用途は特に限定されるものではなく、例えば、中枢神経疾患、精神疾患、腎疾患、骨疾患、関節疾患、肺疾患、動脈硬化症、心疾患、糖尿病、消化器疾患、感染症、アレルギー疾患、内分泌疾患、痴呆症または癌の予防・治療剤などが挙げられる。
本発明のスクリーニング方法で得られた物質は塩を形成していてもよく、該物質の塩としては、生理学的に許容される酸（例、無機酸、有機酸）または塩（例、アルカリ金属）などとの塩が用いられ、とりわけ生理学的に許容される酸付加塩が好ましい。この様な塩としては、例えば、無機酸（例えば、塩酸、リン酸、臭化水素酸、硫酸）との塩、あるいは有機酸（例えば、酢酸、ギ酸、プロピオン酸、フマル酸、マレイン酸、コハク酸、酒石酸、クエン酸、リンゴ酸、蓚酸、安息香酸、メタンスルホン酸、ベンゼンスルホン酸）との塩などが用いられる。
該スクリーニング方法で得られた物質は、例えば、必要に応じて糖衣を施した錠剤、カプセル剤、エリキシル剤、マイクロカプセル剤などとして経口的に、あるいは水もしくはそれ以外の薬学的に許容し得る液との無菌性溶液、または懸濁液剤などの注射剤の形で非経口的に使用できる。例えば、該物質を生理学的に認められる担体、香味剤、賦形剤、ベヒクル、防腐剤、安定剤、結合剤などとともに一般に認められた製剤実施に要求される単位用量形態で混和することによって製造することができる。
これら製剤における有効成分量は指示された範囲の適当な容量が得られるようにするものである。錠剤、カプセル剤などに混和することができる添加剤としては、例えば、ゼラチン、コーンスターチ、トラガント、アラビアゴムのような結合剤、結晶性セルロースのような賦形剤、コーンスターチ、ゼラチン、アルギン酸などのような膨化剤、ステアリン酸マグネシウムのような潤滑剤、ショ糖、乳糖またはサッカリンのような甘味剤、ペパーミント，アカモノ油またはチェリーのような香味剤などが用いられる。調剤単位形態がカプセルである場合には、前記タイプの材料にさらに油脂のような液状担体を含有することができる。注射のための無菌組成物は注射用水のようなベヒクル中の活性物質、胡麻油、椰子油などのような天然産出植物油などを溶解または懸濁させるなどの通常の製剤実施に従って処方することができる。注射用の水性液としては、例えば、生理食塩水，ブドウ糖やその他の補助薬を含む等張液（例えば、Ｄ−ソルビトール、Ｄ−マンニトール、塩化ナトリウムなど）などが用いられ、適当な溶解補助剤、例えば、アルコール（例えば、エタノール）、ポリアルコール（例えば、プロピレングリコール、ポリエチレングリコール）、非イオン性界面活性剤（例えば、ポリソルベート８０ＴＭ，ＨＣＯ−５０）などと併用してもよい。油性液としては、例えば、ゴマ油や大豆油などが用いられ、溶解補助剤である安息香酸ベンジルやベンジルアルコールなどと併用してもよい。
また、上記の治療・予防剤には、例えば、緩衝剤（例えば、リン酸塩緩衝液、酢酸ナトリウム緩衝液）、無痛化剤（例えば、塩化ベンザルコニウム、塩酸プロカインなど）、安定剤（例えば、ヒト血清アルブミン、ポリエチレングリコールなど）、保存剤（例えば、ベンジルアルコール、フェノールなど）、酸化防止剤などを配合してもよい。調製された注射液などの医薬組成物は、通常、適当なアンプルに充填される。
このようにして得られる製剤は安全で低毒性であるので、例えば、ヒトや哺乳動物（例えば、ラット、ウサギ、ヒツジ、ブタ、ウシ、ネコ、イヌ、サルなど）に対して投与することができる。該物質の投与量は、対象疾患、投与対象、投与ルートなどにより差異はあるが、一般的に成人においては、一日につき該化合物を約０．００１〜１００ｍｇ、好ましくは約０．０１〜５０ｍｇ、より好ましくは約０．１〜２０ｍｇ投与する。
本出願の優先権主張の基礎となる出願である特願２００１−４７７３５号の明細書に開示した内容は全て引用により本明細書に開示したものとする。
以下の実施例により本発明をさらに具体的に説明するが、本発明は実施例によって限定されることはない。
実施例
実施例１：薬物代謝酵素遺伝子断片用の発現ベクターの構築
先ず、薬物代謝酵素ｃＤＮＡを挿入するための発現ベクターを構築した。
ｐＢｌｕｅＳｃｒｉｐｔ  ＩＩ  ｓｋ（＋）のＸｂａ  Ｉ部位を切断後、Ｔ４  ＤＮＡ  Ｐｏｌｙｍｅｒａｓｅを用いて平滑末端化し、ＰｏｌｙＡ付加シグナルを含むｐＩＲＥＳｎｅｏ２（Ｃｌｏｎｔｅｃｈ）のＸｂａＩ−ＸｈｏＩフラグメントを平滑末端化後挿入した。得られたプラスミドをＥｃｏＲＩ、ＨｉｎｄＩＩＩで切断し、ＣＭＶエンハンサー、ＥＦ１αプロモーターをｐＣＥ−ＥＧＦＰ−１（Ｔａｋａｄａ，Ｔ．，他、Ｓｅｌｅｃｔｉｖｅ  ｐｒｏｄｕｃｔｉｏｎ  ｏｆ  ｔｒａｎｓｇｅｎｉｃ  ｍｉｃｅ  ｕｓｉｎｇ  ｇｒｅｅｎ  ｆｌｕｏｒｅｓｅｎｔ  ｐｒｏｔｅｉｎ  ａｓ  ａ  ｍａｒｋｅｒ．Ｎａｔｕｒｅ  Ｂｉｏｔｅｃｈ．１５：４５８−４６１，１９９７、東京大学医科学研究所癌ウイルス研究部、菅野先生より供与）より同じくＥｃｏＲＩ、ＨｉｎｄＩＩＩで切出して挿入した。次に、得られたプラスミドをＮｏｔＩで切断してＣＩＡＰ処理後、ニワトリβグロビン遺伝子の４２塩基対のインスレーター配列（Ａｄａｍ  Ｃ．Ｂｅｌｌ，ｅｔ．ａｌ．，Ｔｈｅ  Ｐｒｏｔｅｉｎ  ＣＴＣＦ  Ｉｓ  Ｒｅｑｕｉｒｅｄ  ｆｏｒ  ｔｈｅ  Ｅｎｈａｎｃｅｒ  Ｂｌｏｃｋｉｎｇ  Ａｃｔｉｖｉｔｙ  ｏｆ  Ｖｅｒｔｅｂｒａｔｅ  Ｉｎｓｕｌａｔｏｒｓ，Ｃｅｌｌ，Ｖｏｌ．９８，３８７−３９６，１９９９）を合成し、挿入した。塩基配列を読むことによりインスレーター配列の方向を確認し、確認されたプラスミドをＳａｌＩで切断して、同様に合成インスレーター配列を挿入した。なお、インスレーター配列とは、トランスジェニック動物においては、「位置効果」からの遺伝子発現の抑制から守る遺伝子配列のことである。近隣のシスエレメントの影響に対するバリアとして期待されている。本実施例では、薬物代謝酵素発現用の遺伝子断片の５’側、３’側両方に同一の４２残基のインスレーター配列を配置したベクターを構築した。
その後、ＥＦ−１αプロモーターとポリＡ付加シグナルの間に、それぞれのｃＤＮＡを組み込むことが可能な制限酵素サイトを持つマルチクローニングサイトリンカーを合成し、組み込んだ。図２は、薬物代謝酵素発現用遺伝子を挿入する発現ベクターｐＢＳＥＦＰＩＮＳ４２−３およびｐＢＳＥＦＰＩＮＳ４２−５の構造を示す。両ベクターはマルチクローニングサイトリンカーが逆向きに挿入されているものであり、これらのベクターへ、６種の薬物代謝酵素ｃＤＮＡをそれぞれ挿入することにより、ＥＦ−１αプロモーターでドライブ可能な薬物代謝酵素発現用遺伝子断片の作製が可能である。
実施例２：薬物代謝酵素遺伝子断片を含む発現ベクターの調製
本実施例において導入遺伝子として用いたＣＹＰ１Ａ１  ｃＤＮＡ、ＣＹＰ１Ｂ１  ｃＤＮＡ、ＣＹＰ２Ｅ１  ｃＤＮＡ、ＣＹＰ３Ａ７  ｃＤＮＡ、ＰＧＨＳ−１（ＣＯＸ−１）ｃＤＮＡ、及びＰＧＨＳ−２（ＣＯＸ−２）ｃＤＮＡは全て公知である。これら遺伝子の由来並びに取得方法については以下の表１にまとめる。
0004027803.tif 000002
ＣＹＰ１Ａ１  ｃＤＮＡを含むプラスミドをＸｂａＩおよびＸｈｏＩで切断し、アガロースゲル電気泳動で分離後、ｃＤＮＡ部分を切出し回収した。一方、ｐＢＳ  ＥＦＰ  ＩＮＳ４２−３をＸｂａＩおよびＳａｌＩで切断し、ＣＩＡＰ処理したベクターを調製し、断片とベクターをライゲーションキットＶｅｒ．２を用いて結合し、ｐＢＳ  ＥＦＰ  １Ａ１を得た。
ＣＹＰ１Ｂ１  ｃＤＮＡを含むプラスミドをＢａｍＨＩおよびＳａｌＩで切断し、アガロースゲル電気泳動で分離後、ｃＤＮＡ部分を切出し回収した。一方、ｐＢＳ  ＥＦＰ  ＩＮＳ４２−３をＢａｍＨＩおよびＳａｌＩで切断し、ＣＩＡＰ処理したベクターを調製し、断片とベクターをライゲーションキットＶｅｒ．２を用いて結合し、ｐＢＳ  ＥＦＰ  １Ｂ１を得た。
ＣＯＸ−１  ｃＤＮＡを含むプラスミドをＨｉｎｄＩＩＩで切断後、Ｔ４  ＤＮＡ  Ｐｏｌｙｍｅｒａｓｅを用いて平滑末端化した。その後ＳａｌＩで切断し、アガロースゲル電気泳動で分離後、ｃＤＮＡ部分を切出し回収した。一方、ｐＢＳ  ＥＦＰ  ＩＮＳ４２−３をＥｃｏＲＶおよびＳａｌＩで切断し、ＣＩＡＰ処理したベクターを調製し、断片とベクターをライゲーションキットＶｅｒ．２を用いて結合し、ｐＢＳ  ＥＦＰ  ＣＯＸ−１を得た。
ＣＹＰ２Ｅ１  ｃＤＮＡを含むプラスミドをＸｈｏＩで切断し、アガロースゲル電気泳動で分離後、ｃＤＮＡ部分を切出し回収した。一方、ｐＢＳ  ＥＦＰ  ＩＮＳ４２−５をＳａｌＩで切断し、ＣＩＡＰ処理したベクターを調製し、断片とベクターをライゲーションキットＶｅｒ．２を用いて結合し、ｐＢＳ  ＥＦＰ  ２Ｅ１を得た。
ＣＹＰ３Ａ７  ｃＤＮＡを含むプラスミドをＸｈｏＩおよびＢａｍＨＩで切断し、アガロースゲル電気泳動で分離後、ｃＤＮＡ部分を切出し回収した。一方、ｐＢＳ  ＥＦＰ  ＩＮＳ４２−５をＳａｌＩおよびＢａｍＨＩで切断し、ＣＩＡＰ処理したベクターを調製し、断片とベクターをライゲーションキットＶｅｒ．２を用いて結合し、ｐＢＳ  ＥＦＰ  ３Ａ７を得た。
ＣＯＸ−２  ｃＤＮＡを含むプラスミドをＥｃｏＲＩおよびＸｈｏＩで切断し、アガロースゲル電気泳動で分離後、ｃＤＮＡ部分を切出し回収した。一方、ｐＢＳ  ＥＦＰ  ＩＮＳ４２−５をＥｃｏＲＩおよびＳａｌＩで切断し、ＣＩＡＰ処理したベクターを調製し、断片とベクターをライゲーションキットＶｅｒ．２を用いて結合し、ｐＢＳ  ＥＦＰ  ＣＯＸ−２を得た。
実施例３：薬物代謝酵素遺伝子断片の調製
ｐＢＳ  ＥＦＰ  １Ａ１プラスミドＤＮＡを、アルカリ溶解法により大量調製した。このプラスミドを、ＮｏｔＩで切断し、アガロースゲル電気泳動により約４．５ｋｂｐのＤＮＡ断片を分離後、電気溶出法により回収した。さらにフェノールクロロホルム、クロロホルム抽出及びエタノール沈殿により精製した。遠心分離後，ＰＢＳ（−）で希釈し、ＣＹＰ１Ａ１遺伝子断片とした。
ｐＢＳ  ＥＦＰ  １Ｂ１プラスミドＤＮＡを、アルカリ溶解法により大量調製した。このプラスミドを、ＳｆｉＩで切断し、アガロースゲル電気泳動により約６．８ｋｂｐのＤＮＡ断片を分離後、電気溶出法により回収した。さらにフェノールクロロホルム、クロロホルム抽出及びエタノール沈殿により精製した。遠心分離後、ＰＢＳ（−）で希釈し、ＣＹＰ１Ｂ１遺伝子断片とした。
ｐＢＳ  ＥＦＰ  ＣＯＸ−１プラスミドＤＮＡを、アルカリ溶解法により大量調製した。このプラスミドを、ＮｏｔＩで切断し、アガロースゲル電気泳動により約４．６ｋｂｐのＤＮＡ断片を分離後、電気溶出法により回収した。さらにフェノールクロロホルム、クロロホルム抽出及びエタノール沈殿により精製した。遠心分離後，ＰＢＳ（−）で希釈し、ＣＯＸ−１遺伝子断片とした。
ｐＢＳ  ＥＦＰ  ＣＹＰ２Ｅ１プラスミドＤＮＡを、アルカリ溶解法により大量調製した。このプラスミドを、ＮｏｔＩで切断し、アガロースゲル電気泳動により約３．７ｋｂｐのＤＮＡ断片を分離後、電気溶出法により回収した。さらにフェノールクロロホルム、クロロホルム抽出及びエタノール沈殿により精製した。遠心分離後、ＰＢＳ（−）で希釈し、ＣＹＰ２Ｅ１遺伝子断片とした。
ｐＢＳ  ＥＦＰ  ＣＹＰ３Ａ７プラスミドＤＮＡを、アルカリ溶解法により大量調製した。このプラスミドを、ＮｏｔＩで切断し、アガロースゲル電気泳動により約４．０ｋｂｐのＤＮＡ断片を分離後、電気溶出法により回収した。さらにフェノールクロロホルム、クロロホルム抽出及びエタノール沈殿により精製した。遠心分離後、ＰＢＳ（−）で希釈し、ＣＹＰ３Ａ７遺伝子断片とした。
ｐＢＳ  ＥＦＰ  ＣＯＸ−２プラスミドＤＮＡを、アルカリ溶解法により大量調製した。このプラスミドを、ＮｏｔＩで切断し、アガロースゲル電気泳動により約６．４ｋｂｐのＤＮＡ断片を分離後、電気溶出法により回収した。さらにフェノールクロロホルム、クロロホルム抽出及びエタノール沈殿により精製した。遠心分離後、ＰＢＳ（−）で希釈し、ＣＯＸ−２遺伝子断片とした。
以上６種類の遺伝子断片の作製方法を表２に示した。６種類の遺伝子断片を等モルづつ混合し、終濃度３．９ｎｇ／μｌ  ＤＮＡ  ＰＢＳ（−）溶液とした。
0004027803.tif 000003
実施例４：受精卵の作出
受精卵の作出は、豊田らの手法に従い（マウス卵子の体外受精に関する研究，家畜繁殖誌，１６：１４７−１５１，１９７１）、体外受精で行った。すなわち、Ｃ５７ＢＬ／６メスマウスに４８時間間隔でＰＭＳＧ及びｈＣＧ（５単位）を腹腔内注射し、その後１６−１８時間に卵子を採取し、Ｃ５７ＢＬ／６精子（卵子採取の約１．５時間前に精子採取）を媒精した（約１００〜１５０精子／μｌ）。媒精約６時間後に卵子の第２極体の放出と雌雄両前核の有無を確認し、受精卵のみを選抜した。得られた前核期受精卵は中尾らの手法（Ｎａｋａｏ  Ｋ．，Ｎａｋａｇａｔａ  Ｎ．，Ｋａｔｓｕｋｉ  Ｍ．，Ｓｉｍｐｌｅ  ａｎｄ  ｅｆｆｉｃｉｅｎｔ  ｖｉｔｒｉｆｉｃａｔｉｏｎ  ｐｒｏｃｅｄｕｒｅ  ｆｏｒ  ｃｒｙｏｐｒｅｓｅｒｖａｔｉｏｎ  ｏｆ  ｍｏｕｓｅ  ｅｍｂｒｙｏｓ，Ｅｘｐ．Ａｎｉｍ．，１９９７，４６，２３１−２３４）に従って、簡易ガラス化法を用い凍結保存した。凍結された受精卵は実験前に融解し、顕微注入操作に供した。
実施例５：ＤＮＡ顕微注入
受精卵前核へのＤＮＡ顕微注入は、勝木らの手法（発生工学実験マニュアル  トランスジェニックマウスの作り方  講談社サイエンティフィク  １９８７）に従って行った。受精卵は修正ウィッテン培地（ｍＷＭ培地）の液滴に移し、核内注入では、位相差顕微鏡（Ｉｎｖｅｒｔ  Ｓｃｏｐｅ  Ｄ：Ｚｅｉｓｓ社）下で雄性前核を確認した後、精製したＤＮＡ溶液（実施例３で調製したもの）を約２ｐｌ注入した。細胞質内注入では、細胞質内にＤＮＡ溶液を約２ｐｌ注入した。生残胚はｍＷＭ培地に移し、５％ＣＯ２、９５％Ａｉｒ、３７℃の条件下で培養後、偽妊娠の雌ＩＣＲ系統マウスの卵管に移植し、着床させた。
実施例６：遺伝子型のタイピング
出産後４週を経過したのマウス尾を約１センチメートル切断し、プロナーゼＫおよびプロテイナーゼＥを含む可溶化バッファーを加え、５５℃で一晩可溶化した。可溶化溶液から、ＤＮＡ抽出装置（東洋紡社製）を用いＤＮＡを取得した。得られたＤＮＡを用いて、６種類の各薬物代謝酵素の遺伝子配列を含むＤＮＡプローブ（自体公知のラジオアイソトープ標識法によりラベルした）（図３）によるサザンハイブリダイゼーション法により分析した。標識には市販のラベリングキット（ストラタジーン社製）を用いた。ＤＮＡ約１０μｇを制限酵素ＰｓｔＩおよびＳｗａＩで完全に切断し、０．８％アガロースを通じて電気泳動を行い、かつサザン（Ｓｏｕｔｈｅｒｎ）（１９７５、ジャーナル・モレキュラー・バイオロジー、第９８巻，５０３ページ）により記載された方法でナイロンフィルターへ移した。このフィルターをプローブとクイックハイブリダイゼーションバッファー（東洋紡社製）中で１時間ハイブリダイズし、２×ＳＳＣ、０．１％ＳＤＳにて６５℃にて５分間２回、さらに３０分間２回洗浄した。このサザンハイブリダイゼーションの結果、検定した１１０匹の出産仔のうち、４匹の個体で薬物代謝酵素遺伝子が確認された（図４）。
４匹のトランスジェニックマウスに導入された遺伝子を以下の表３に記載する。
0004027803.tif 000004
さらに、上記したトランスジェニックマウスとＣ５７ＢＬ／６系統マウスとを交配し、その産仔を得た。得られた産仔においても、上記と同様の方法により導入遺伝子の有無を確認した結果、上記と同様に導入遺伝子が導入されている産仔が得られた。
実施例７：トランスジェニック（Ｔｇ）マウスにおけるサリドマイドの催奇形性及び胎児毒性効果解析
トランスジェニックマウス凍結卵の作製は実施例４：受精卵の作出、の方法に従い、それぞれトランスジェニックマウスの受精卵を凍結保存した。この凍結受精卵を融解し、偽妊娠の雌ＩＣＲ系統マウスの卵管へ２０個づつ移植して、着床させた。妊娠９日目にサリドマイドを母体腹腔内へ投与した。サリドマイドは１００ｍｇ／ｋｇ、または２００ｍｇ／ｋｇ投与量での試験を行い、Ｖｅｈｉｃｌｅは、Ｔｗｅｅｎ２０と生理食塩水１対３の混合溶液を用いた。出産前日である妊娠１９日目の母体を開腹し、子宮内の状態、及び発生、成長してきた胎児について、その催奇形性及び胎児毒性の有無を観察した。また、子宮内で発生、成長した胎児、または子宮内の胎児吸収痕から組織を採材し、ＤＮＡを抽出して、ＰＣＲにて遺伝子型を判定した。この結果を表にまとめたものを表４に示す。
0004027803.tif 000005
表４の結果より、催奇形性および胎児毒性において、導入遺伝子の影響が示唆された。
実施例８：６種類の薬物代謝酵素を導入したマウス（Ｐ４５０−６ｍｉｘマウス）Ｆ１のＰＣＲによるタイピング
取得したＰ４５０−６ｍｉｘマウスＦ１、Ｆ２等、産仔遺伝子型のタイピング、また、催奇形性及び胎児毒性試験の胎児における遺伝子型のタイピングはＰＣＲにて実施した。図５に各遺伝子におけるプライマーの位置、ＰＣＲ反応によって生成する遺伝子断片の鎖長を記した。各遺伝子のポリＡ付加シグナルは共通である為、リバースプライマーＢＧＨ−Ｒを共用し、フォワードプライマーは各遺伝子特異的な配列を使用している。反応により生成する遺伝子断片の鎖長より、１Ａ１、１Ｂ１、及びｃｏｘ−１、さらに、２Ｅ１、３Ａ７、及びｃｏｘ−２をそれぞれ同時に検出することができる。ＰＣＲは以下の通り行った。
（１）プライマー配列
ＢＧＨ−Ｒ：５’−ＣＴＡＣＴＣＡｇＡＣＡＡＴｇＣｇＡＴｇＣ−３’
１Ａ１−Ｆ：５’−ＡｇＡＣＣＣＴＴＡＴＴｇＣＴｇＴＣＣＴｇ−３’
１Ｂ１−Ｆ２：５’−ＡｇｇＴｇＣＴＴｇｇＡｇＴＴＴＡＣＣＴｇ−３’
２Ｅ１−Ｆ２：５’−ＡＡＡＣＴＣＴｇＴｇＴＣＡＴＴＣＣＣＣｇ−３’
３Ａ７−Ｆ：５’−ＡＴＣＡｇｇｇＡＴＴＣＴｇＴＡＣｇＴｇＣ−３’
ｃｏｘ１−Ｆ：５’−ＴｇＣＴｇＡＡＣＴＣＣＴＴｇＴＴＡｇＣＣ−３’
ｃｏｘ２−Ｆ：５’−ＣＴＣＡＴＴＡｇＣＣＴｇＡＡＴｇＴｇＣＣ−３’
（２）増幅する断片の大きさ
１Ａ１；約５２０ｂｐ
１Ｂ１；約９００ｂｐ
２Ｅ１；約３８０ｂｐ
３Ａ７；約５７０ｂｐ
ｃｏｘ１；約７３０ｂｐ
ｃｏｘ２；約６８０ｂｐ
１Ａ１，１Ｂ１，ｃｏｘ１、並びに２Ｅ１，３Ａ７，ｃｏｘ２は同時に検出することができる。従って、１サンプルにつき２回のＰＣＲでタイピングを行う。
（３）ＰＣＲ反応条件
１Ａ１−Ｆ，１Ｂ１−Ｆ２，ｃｏｘ１−Ｆ、並びに２Ｅ１−Ｆ２，３Ａ７−Ｆ，ｃｏｘ２−Ｆを各々１０ｐｍｏｌ／ｕｌに調製しておく。１μｌのゲノムＤＮＡ、２μｌの１０×ＰＣＲ  ｂｕｆｆｅｒ、１．６μｌのｄＮＴＰ、１μｌのＢＧＨ−Ｒ（１０ｐｍｏｌ／μｌ）、１μｌのＰｒｉｍｅｒ−Ｆ  ｍｉｘ（各々１０ｐｍｏｌ／μｌ）、０．１μｌのＥｘ  Ｔａｑ、１３．３μｌのＤＤＷ（全量２０μｌ）から成る反応液を９４℃で５分処理（ホットスタート）した後、９４℃で３０秒、６０℃で３０秒及び７２℃で３０秒のサイクルを３０サイクル行い、最後に７２℃で７分処理した後、４℃に冷却する。反応終了後、５μｌを２％アガロースゲルにて泳動した。
図６に本実施例で作成したトランスジェニックマウスＦ１作成における導入遺伝子の存在をＰＣＲで判定した結果を示す。図６中、Ｎは陰性対照、Ｐは陽性対照、１６ｍは個体３、および個体４で１Ａ１、１Ｂ１、３Ａ７、ｃｏｘ−２陽性、３４ｐは個体１で１Ｂ１、ｃｏｘ−１、ｃｏｘ−２陽性、３６ｐは個体１、および個体４で１Ａ１、１Ｂ１、３Ａ７、ｃｏｘ−１、ｃｏｘ−２腸性をそれぞれ示す。
産業上の利用の可能性
本発明のトランスジェニック動物を用いることにより、薬物の胎児毒性・催奇形性を予測する試験を行なうことが可能となる。
【配列表】
0004027803.tif 000006
0004027803.tif 000007
0004027803.tif 000008
0004027803.tif 000009
0004027803.tif 000010
0004027803.tif 000011
0004027803.tif 000012
【図面の簡単な説明】
図１は、実施例で作成した薬物代謝酵素発現用遺伝子を含む発現ベクターの構造を示す。
図２は、薬物代謝酵素発現用遺伝子を挿入する発現ベクターｐＢＳＥＦＰＩＮＳ４２−３およびｐＢＳＥＦＰＩＮＳ４２−５の構造を示す。
図３は、６種類の各薬物代謝酵素の遺伝子配列を含むＤＮＡプローブの構造を示す。
図４は、本実施例で作成したトランスジェニックマウスにおける導入遺伝子の同定を示すサザンハイブリダイゼーションの結果を示す。出生した１１０匹のマウスについて解析を行なった結果、４匹のマウスに複数の遺伝子が導入されていることが明らかになった。図４中、Ｎは陰性対照、Ｐは陽性対照、３ｍはｃｏｘ−１、ｃｏｘ−２陽性、１６ｍは１Ａ１、１Ｂ１、３Ａ７、ｃｏｘ−２陽性、３４ｐは１Ｂ１、ｃｏｘ−１、ｃｏｘ−２陽性、３６ｐは１Ａ１、１Ｂ１、３Ａ７、ｃｏｘ−１、ｃｏｘ−２陽性をそれぞれ示す。
図５は、６種類の各薬物代謝酵素の遺伝子を検出するＰＣＲプライマーの位置と、生成する遺伝子断片の鎖長を示す。
図６は、本実施例で作成したトランスジェニックマウスＦ１作成における導入遺伝子の存在をＰＣＲで判定した結果を示す。図６中、Ｎは陰性対照、Ｐは腸性対照、１６ｍは個体３、および個体４で１Ａ１、１Ｂ１、３Ａ７、ｃｏｘ−２陽性、３４ｐは個体１で１Ｂ１、ｃｏｘ−１、ｃｏｘ−２陽性、３６ｐは個体１、および個体４で１Ａ１、１Ｂ１、３Ａ７、ｃｏｘ−１、ｃｏｘ−２陽性をそれぞれ示す。
【図１】
0004027803.tif 000013
【図２】
0004027803.tif 000014
【図３】
0004027803.tif 000015
【図４】
0004027803.tif 000016
【図５】
0004027803.tif 000017
【図６】
0004027803.tif 000018